(57)【要約】【課題】ホームポジションの確認を適切に行うことができる画像読取装置を提供する。【解決手段】連続して読み取られる複数枚の原稿Ｄの画像データが１ファイルとして取り扱われる第１スキャン機能が使用される場合、１ファイルとして扱われる複数枚の原稿Ｄの画像データが得られるまで、読取デバイス１２による待機位置ＷＰがホームポジションＨＰと一致することを確認するためのＨＰ確認処理が行われずに、読取デバイス１２による原稿Ｄの読み取りが繰り返される。１枚の原稿Ｄの画像データが１ファイルとして取り扱われる第２スキャン機能が使用されている場合であっても、読取デバイスが読取終了位置ＰＥから待機位置ＷＰまで移動する間にＡＤＦ８が開かれた場合、ＨＰ確認処理が行われない。第２スキャン機能が使用されている場合であって、ＡＤＦ８が開かれずに読取デバイス１２が待機位置ＷＰまで移動した場合には、ＨＰ確認処理が行われる。【選択図】図４
2019080092.tif 000002
【特許請求の範囲】
【請求項１】
原稿を支持する原稿台と、
前記原稿台に対して開閉可能なカバーと、
前記カバーの開閉を検出する検出部と、
前記原稿台に支持される原稿を読み取る読取部と、
前記読取部により読み取られた複数の原稿の画像データを１ファイルとして扱うことが可能な第１スキャン機能と、前記読取部により読み取られた１つの原稿の画像データを１ファイルとして扱う第２スキャン機能との一方を選択する操作を受け付ける操作部と、
制御部と
を備え、
前記制御部は、
前記読取部を制御して、前記読取部を読取開始位置から読取終了位置まで移動させながら、前記読取部により原稿を読み取らせる読取処理と、
前記読取処理の終了後、前記読取部を制御して、前記読取部を前記読取開始位置に対して前記読取終了位置側と反対側の待機位置まで移動させる移動処理と、
前記移動処理の終了後、前記読取部を制御して、前記読取部に前記待機位置が正規の位置と一致することを確認するための動作を行わせる確認処理と
を実行可能であり、
前記操作部に前記第１スキャン機能を選択する操作を受け付けた場合、１ファイルとして扱われる複数の原稿の画像データが得られるまで、前記確認処理を実行することなく前記読取処理および前記移動処理を繰り返し実行し、
前記操作部に前記第２スキャン機能を選択する操作を受け付けた場合、前記読取処理の実行後に前記移動処理を実行し、前記読取部が前記待機位置に到着する前に前記検出部により前記カバーの開が検出された場合、前記確認処理を実行せず、前記読取部が前記待機位置に到着する前に前記検出部により前記カバーの開が検出されない場合、前記確認処理を実行する、画像読取装置。
【請求項２】
請求項１に記載の画像読取装置であって、
前記制御部は、
前記操作部に前記第１スキャン機能を選択する操作を受け付けた場合、１ファイルとして扱われる複数の原稿の画像データが得られた後、前記読取部が前記待機位置に到着する前に前記検出部により前記カバーの開が検出された場合、前記確認処理を実行せず、前記読取部が前記待機位置に到着する前に前記検出部により前記カバーの開が検出されない場合、前記確認処理を実行する、画像読取装置。
【請求項３】
請求項１または２に記載の画像読取装置であって、
前記制御部は、
前記操作部に前記第１スキャン機能を選択する操作を受け付けた場合、前記読取処理の開始後、次の読取対象の原稿があることを指示する指示操作を前記操作部に受付可能とし、
前記読取処理の開始から、前記操作部に前記指示操作を受け付けた複数の原稿の画像データを１ファイルとして扱う、画像読取装置。
【請求項４】
請求項１〜３のいずれか一項に記載の画像読取装置であって、
前記制御部は、
前記確認処理が最後に行われてから前記読取処理が行われた回数を計数する計数処理を実行し、
前記読取部が前記待機位置に到着する前に前記検出部により前記カバーの開が検出された場合であっても、前記計数処理で計数される回数が所定回数に達した場合には、前記確認処理を実行する、画像読取装置。
【請求項５】
請求項４に記載の画像読取装置であって、
前記計数処理は、前記操作部に前記第１スキャン機能を選択する操作を受け付けた場合、１ファイルとして扱われる原稿の数を前記読取処理が行われた回数として計数し、
前記制御部は、
１ファイルとして扱われる複数の原稿の画像データが得られた後、前記計数処理で計数される回数が所定回数に達した場合に前記確認処理を実行し、前記計数処理で計数される回数が所定枚数を超えない場合に前記確認処理を実行しない、画像読取装置。
【請求項６】
請求項１に記載の画像読取装置であって、
前記制御部は、
前記操作部に前記第１スキャン機能を選択する操作を受け付けた場合、１ファイルとして扱われる複数の原稿の画像データが得られた後、前記確認処理を実行する、画像読取装置。
【請求項７】
請求項１〜６のいずれか一項に記載の画像読取装置であって、
前記カバーの開閉なく複数枚の原稿を１枚ずつ前記原稿台上を通過させることが可能な原稿供給部をさらに備え、
前記読取処理は、前記カバーが開かれて前記原稿台に支持された原稿を読み取る処理であり、
前記制御部は、
前記原稿供給部および前記読取部を制御して、前記原稿台上を通過する原稿を前記読取部によって読み取る供給読取処理を実行し、
前記供給読取処理の終了後、前記確認処理を実行する、画像読取装置。
【請求項８】
請求項１〜７のいずれか一項に記載の画像読取装置であって、
前記制御部は、
前記読取処理を中断した場合、前記確認処理を実行する、画像読取装置。
【発明の詳細な説明】
【技術分野】
【０００１】
本発明は、原稿などの画像を読み取る画像読取装置に関する。
【背景技術】
【０００２】
従来、ＦＢ（Flat Bed：フラットベッド）方式により、原稿などの画像を読み取る画像読取装置が提供されている。
【０００３】
この種の画像読取装置は、原稿台と、原稿台に対して開閉可能に設けられたカバーと、原稿台の下方に所定方向に往復移動可能に設けられたセンサユニットとを備えている。
【０００４】
原稿の画像の読み取りに際しては、カバーが開かれて、原稿台に原稿が載置される。カバーが閉じられて、読取動作の開始が指示されると、センサユニットがホームポジションから読取終了位置に向けて一定速度で移動される。センサユニットが読取開始位置まで移動すると、センサユニットによる原稿の読み取りが開始される。そして、センサユニットが読取終了位置に達し、原稿の読み取りが完了すると、センサユニットが読取終了位置からホームポジションに戻される。
【０００５】
ホームポジションと読取開始位置との間には、たとえば、ホームポジション確認用の白黒パターンが配置されている。画像読取装置の制御部は、センサユニットをホームポジションから読取開始位置側に移動させて、センサユニットの移動開始から白黒パターンがセンサユニットに読み取られるまでのセンサユニットの移動距離に基づいて、ホームポジションが正規の位置からずれているか否かを確認することができる。しかし、このホームポジションの確認が１枚の原稿の読み取りの度に行われると、原稿の読み取りに時間がかかってしまう。
【０００６】
たとえば、下記の特許文献１では、原稿の読み取りの処理速度を向上するため、複数枚の原稿を連続して読み取る場合に、１枚の原稿の読み取りが完了した後、センサユニットをホームポジションまで戻さずに次の原稿の読み取りを開始する技術が提案されている。この技術によれば、複数枚の原稿が連続して読み取られる場合には、ホームポジションの確認が１枚の原稿の読み取りの度に行われないことになる。
【先行技術文献】
【特許文献】
【０００７】
【特許文献１】特開２００４−２５２４０８号公報
【発明の概要】
【発明が解決しようとする課題】
【０００８】
特許文献１では、プレビューウィンドウからスキャンする枠組みを決め、複数の原稿（スキャンする枠組み）を選択した場合に、複数枚の原稿を連続して読み取ると判断する。一方で、スキャン機能には、複数枚の原稿の画像データを１ファイルとして扱うことが可能な第１スキャン機能および１枚の原稿の画像データを１ファイルとして扱う第２スキャン機能とがある。
【０００９】
本発明の目的は、複数の原稿の画像データを１ファイルとして扱うことが可能な第１スキャン機能および１つの原稿の画像データを１ファイルとして扱う第２スキャン機能の異なる機能ごとに複数の原稿を連続して読み取るかの判断を行うことで、ホームポジションの確認を適切に行うことができる、画像読取装置を提供することである。
【課題を解決するための手段】
【００１０】
前記の目的を達成するため、本発明に係る画像読取装置は、原稿を支持する原稿台と、原稿台に対して開閉可能なカバーと、カバーの開閉を検出する検出部と、原稿台に支持される原稿を読み取る読取部と、読取部により読み取られた複数の原稿の画像データを１ファイルとして扱うことが可能な第１スキャン機能と、読取部により読み取られた１つの原稿の画像データを１ファイルとして扱う第２スキャン機能との一方を選択する操作を受け付ける操作部と、制御部とを備え、制御部は、読取部を制御して、読取部を読取開始位置から読取終了位置まで移動させながら、読取部により原稿を読み取らせる読取処理と、読取処理の終了後、読取部を制御して、読取部を読取開始位置に対して読取終了位置側と反対側の待機位置まで移動させる移動処理と、移動処理の終了後、読取部を制御して、読取部に待機位置が正規の位置と一致することを確認するための動作を行わせる確認処理とを実行可能であり、操作部に第１スキャン機能を選択する操作を受け付けた場合、１ファイルとして扱われる複数の原稿の画像データが得られるまで、確認処理を実行することなく読取処理および移動処理を繰り返し実行し、操作部に第２スキャン機能を選択する操作を受け付けた場合、読取処理の実行後に移動処理を実行し、読取部が待機位置に到着する前に検出部によりカバーの開が検出された場合、確認処理を実行せず、読取部が待機位置に到着する前に検出部によりカバーの開が検出されない場合、確認処理を実行する。
【００１１】
この構成によれば、複数の原稿の画像データを１ファイルとして扱う第１スキャン機能が選択されている場合、１ファイルとして扱われる複数の原稿の画像データが得られるまで、読取部による待機位置が正規の位置と一致することを確認するための動作が行われずに、読取部による原稿の読み取りが繰り返される。これにより、読取処理速度を向上させることができる。
【００１２】
原稿の読み取り後、読取部が読取終了位置から待機位置まで移動する間にカバーが開かれた場合、ユーザが次の読取対象の原稿を原稿台に支持させることが予想される。そこで、１つの原稿の画像データを１ファイルとして扱う第２スキャン機能が選択されている場合であっても、読取位置が読取終了位置から待機位置まで移動する間にカバーが開かれた場合、読取部による待機位置が正規の位置と一致することを確認するための動作が行われない。これにより、次の原稿の読み取りを速やかに開始させることができる。
【００１３】
一方、第２スキャン機能が選択されている場合であって、カバーが開かれずに読取部が待機位置まで移動した場合には、読取部による待機位置が正規の位置と一致することを確認するための動作が行われて、待機位置が正規の位置と一致することが確認される。
【００１４】
よって、第１スキャン機能および第２スキャン機能の異なる機能ごとに複数枚の原稿を連続して読み取るかの判断を行うことで、ホームポジションの確認を適切に行うことができる。
【発明の効果】
【００１５】
本発明によれば、ホームポジションの確認を適切に行うことができる。
【図面の簡単な説明】
【００１６】
【図１】本発明の一実施形態に係る画像読取装置を備える複合機の斜視図であり、ＡＤＦが閉位置に位置する状態を示す。
【図２】図１に示される複合機の斜視図であり、ＡＤＦが開位置に位置する状態を示す。
【図３】画像読取装置の図解的な平面図である。
【図４】画像読取装置の図解的な断面図である。
【図５】画像読取装置の電気的構成を示すブロック図である。
【図６】メイン処理の流れを示すフローチャートである。
【図７】待機画面の一例を示す図である。
【図８】ジョブ開始画面の一例を示す図である。
【図９Ａ】ＦＢ原稿読取処理の流れを示すフローチャート（その１）である。
【図９Ｂ】ＦＢ原稿読取処理の流れを示すフローチャート（その２）である。
【図１０】ジョブ実行中画面の例を示す図である。
【図１１】ジョブ終了時画面の例を示す図である。
【図１２】ＡＤＦ原稿読取処理の流れを示すフローチャートである。
【図１３】ＨＰ確認処理の流れを示すフローチャートである。
【発明を実施するための形態】
【００１７】
以下では、本発明の実施の形態について、添付図面を参照しつつ詳細に説明する。
【００１８】
＜複合機＞
図１および図２には、複合機（ＭＦＰ：Multi-Function Peripheral）１が示されている。複合機１は、プリント機能、スキャン機能およびコピー機能など、複数の機能を有する電子機器である。プリント機能（画像形成機能）は、画像データに係る画像をプリント用紙などのシートに印刷（プリント）する機能である。スキャン機能（画像読取機能）は、原稿の画像を読み取って画像データを生成する機能である。コピー機能は、スキャナ機能により原稿を読み取って、その読み取った原稿（画像）を画像形成機能によりシートに印刷する機能である。複合機１は、プリント機能のための画像形成装置２およびスキャナ機能のための画像読取装置３を備えている。
【００１９】
画像形成装置２は、略直方体形状のプリンタ筐体４を備えている。プリンタ筐体４の底部には、給紙トレイ５がプリンタ筐体４の一方側から抜き差し可能に設けられている。給紙トレイ５は、複数枚のプリント用紙などのシートを積み重なった状態で支持可能に構成されている。
【００２０】
なお、以下の説明で使用するため、給紙トレイ５を抜き差し可能な一方側を複合機１の前側と規定し、その反対側を後側と規定する。そして、水平面上に設置された複合機１を前側から見た状態を基準に、複合機１の上側、下側、左側および右側を規定する。
【００２１】
シートに画像が形成されるときには、給紙トレイ５からプリンタ筐体４内にシートが１枚ずつ送り出され、プリンタ筐体４内をそのシートが搬送される。シートがプリンタ筐体４内を搬送される間に、プリンタ筐体４内に収容されている画像形成部（図示せず）により、シートに画像（カラー画像またはモノクロ画像）が形成される。画像形成部による画像形成の方式は、電子写真方式であってもよいし、インクジェット方式であってもよい。画像が形成されたシートは、プリンタ筐体４の上面に形成された排紙トレイ６に排出される。
【００２２】
＜画像読取装置＞
画像読取装置３は、画像形成装置２の上側に配置されている。画像読取装置３は、スキャナ筐体７と、ＡＤＦ（Auto Document Feeder：自動原稿搬送装置）８とを備えている。スキャナ筐体７の上面には、コンタクトガラス９（原稿台の一例）が設けられている。ＡＤＦ８は、開位置と閉位置とに開閉可能に設けられている。ＡＤＦ８が閉位置に位置する状態では、図１に示されるように、コンタクトガラス９がＡＤＦ８によって被覆される。ＡＤＦ８が開位置に位置する状態では、図２に示されるように、コンタクトガラス９が露出する。すなわち、ＡＤＦ８は、原稿台の一例であるコンタクトガラス９を開閉可能なカバーとして機能する。
【００２３】
コンタクトガラス９の左端部上には、図３および図４に示されるように、コンタクトガラス９の左端縁と間隔を空けて、前後方向に延びるガイド部材１１が設けられている。ガイド部材１１は、前後方向および上下方向に延びる平面を右端面に有し、ガイド部材１１の左上方に中心が位置する円弧面を上面に有している。画像読取装置３では、ＦＢ（フラットベッド）方式およびＡＤＦ方式の両方式による原稿Ｄの読み取りが可能である。コンタクトガラス９の上面におけるガイド部材１１の右側の領域９Ａは、ＦＢ方式による原稿Ｄの読み取りの際に原稿Ｄを支持する領域である。一方、コンタクトガラス９の上面におけるガイド部材１１の左側の領域９Ｂは、ＡＤＦ方式による原稿Ｄの読み取りの際に原稿Ｄが通過する領域である。
【００２４】
ＦＢ方式による原稿Ｄの読み取りの際には、ＡＤＦ８が開位置に開かれて、原稿Ｄがコンタクトガラス９の上面の領域９Ａ上に載置される。このとき、原稿Ｄは、図３に示されるように、左端縁がガイド部材１１の右端面に当接し、かつ、後端縁が領域９Ａの後端縁と重なるように配置される。その後、ＡＤＦ８が閉位置に閉じられて、原稿ＤがＡＤＦ８によって上側から覆われた状態で、原稿Ｄのコンタクトガラス９との接触面が読み取られる。
【００２５】
一方、ＡＤＦ方式による原稿Ｄの読み取りの際には、ＡＤＦ８の原稿セット部に原稿Ｄが載置される。ＡＤＦ８に備えられているＡＤＦ搬送部４５（図５参照）により、原稿セット部から原稿Ｄが１枚ずつ送り出され、その１枚の原稿Ｄがコンタクトガラス９の上面の領域９Ｂ上を通過してＡＤＦ８の原稿排出部に排出される。原稿Ｄがコンタクトガラス９上を通過する際、原稿Ｄのコンタクトガラス９との接触面が読み取られる。
【００２６】
スキャナ筐体７内には、図４に示されるように、読取デバイス１２（読取部の一例）および移動機構１３が設けられている。
【００２７】
読取デバイス１２は、ＣＩＳ（Contact Image Sensor）ユニット２１と、ＣＩＳユニット２１を担持するキャリッジ２２を含む。ＣＩＳユニット２１には、光源２３、ロッドレンズアレイ２４およびイメージセンサ２５が内蔵されている。イメージセンサ２５は、たとえば、複数の受光素子が主走査方向である前後方向に配列されたリニアイメージセンサからなる。
【００２８】
コンタクトガラス９上に載置された原稿Ｄの読取時には、光源２３からコンタクトガラス９に向けて光が出射される。コンタクトガラス９上の原稿Ｄで反射された光は、ロッドレンズアレイ２４に入射し、ロッドレンズアレイ２４の機能によりイメージセンサ２５で結像される。これにより、原稿Ｄが主走査方向に１ライン分読み取られる。このときのイメージセンサ２５の位置が読取デバイス１２による画像の読取位置である。
【００２９】
移動機構１３は、読取デバイス１２を主走査方向と直交する副走査方向である左右方向に移動させる機構である。移動機構１３は、正逆回転可能なステッピングモータからなるモータ２６と、モータ２６により回転駆動される駆動プーリ２７と、駆動プーリ２７と対をなす従動プーリ２８と、駆動プーリ２７および従動プーリ２８に巻き掛けられたベルト２９とを備えている。駆動プーリ２７は、スキャナ筐体７内に右端部に、回転軸線が前後方向に延びるように配置されている。従動プーリ２８は、スキャナ筐体７内の左端部に、回転軸線が駆動プーリ２７の回転軸線と同じ高さの位置で前後方向に延びるように配置されている。ベルト２９には、キャリッジ２２が取り付けられている。駆動プーリ２７の回転によりベルト２９が走行し、ベルト２９の走行に伴ってキャリッジ２２が副走査方向に移動する。
【００３０】
コンタクトガラス９の左方には、調整基準板３１が配置されている。調整基準板３１は、副走査方向に並べられる白領域３２および黒領域３３を有している。白領域３２と黒領域３３との境界の位置から左側に一定距離だけ離れた位置が読取デバイス１２のホームポジションＨＰである。
【００３１】
読取デバイス１２の移動の起点または終点となる位置として、待機位置ＷＰ、読取開始位置ＰＳ、読取終了位置ＰＥおよびＡＤＦ読取位置ＰＡが設定されている。
【００３２】
待機位置ＷＰは、読取デバイス１２の位置の基準となる位置であり、待機位置ＷＰが正規の位置からずれていない状態では、待機位置ＷＰとホームポジションＨＰとが一致する。
【００３３】
なお、読取デバイス１２の位置とは、読取デバイス１２による画像の読取位置をいい、たとえば、読取デバイス１２が待機位置ＷＰに位置するとは、読取デバイス１２の読取位置が待機位置ＷＰと一致しているという意味である。
【００３４】
読取開始位置ＰＳは、たとえば、ガイド部材１１の右端縁の位置に設定されている。読取デバイス１２がガイド部材１１を読み取るおそれをなくすために、読取開始位置ＰＳは、ガイド部材１１の右端縁の位置から右側に離れた位置に設定されてもよい。
【００３５】
読取終了位置ＰＥは、原稿Ｄのサイズに応じて設定される位置であり、読取開始位置ＰＳから右側に原稿Ｄの副走査方向の長さに応じた距離だけ離れた位置に設定される。
【００３６】
ＡＤＦ読取位置ＰＡは、コンタクトガラス９の上面の領域９Ｂにおける左右方向の中央部に設定されている。
【００３７】
＜画像読取装置の電気的構成＞
画像読取装置３は、図５に示されるように、ＡＳＩＣ（Application Specific Integrated Circuit）４１、ＲＯＭ（Read Only Memory）４２およびＲＡＭ（Random Access Memory）４３を備えている。
【００３８】
ＡＳＩＣ４１は、ＣＰＵ４４（制御部の一例）を内蔵している。ＣＰＵ４４は、ＡＳＩＣ４１に入力される情報に基づいて、各種の処理のためのプログラムを実行することにより、読取デバイス１２、移動機構１３、ＡＤＦ搬送部４５（原稿供給部の一例）および操作パネル４６を含む画像読取装置３の各部を制御する。
【００３９】
操作パネル４６は、図１および図２に示されるように、スキャナ筐体７の前面に配置されている。操作パネル４６は、タッチパネルからなり、液晶ディスプレイなどの表示部上に感圧式または静電容量式の透明フィルムスイッチなどの操作部を重ねて構成されている。操作パネル４６には、各種の情報や操作ボタンなどの画像が表示される。ユーザが操作パネル４６に表示される操作ボタンをタッチ操作することにより、そのタッチ操作された操作ボタンの種類に応じた指示が操作パネル４６に受け付けられる。操作パネル４６に指示が受け付けられると、その指示の内容に応じた信号（データ）が操作パネル４６からＡＳＩＣ４１に向けて送信される。
【００４０】
ＲＯＭ４２は、フラッシュメモリなどの書き換え可能な不揮発性メモリからなる。ＲＯＭ４２には、ＣＰＵ４４によって実行されるプログラムおよび各種のデータなどが記憶されている。また、ＲＯＭ４２には、制御のためのプログラムのほか、定型原稿サイズごとに、シート短辺およびシート長辺の寸法を示すデータを定型原稿サイズのテーブルとして記憶されている。たとえば、Ａ４サイズの原稿の場合、Ａ４サイズのシート短辺は２１０ｍｍ、シート長辺は２９７ｍｍである。さらに、ＲＯＭ４２には、読取デバイス１２をホームポジションＨＰから読取開始位置ＰＳまで移動させるために必要なモータ２６の駆動ステップ数、読取デバイス１２をホームポジションＨＰからＡＤＦ読取位置ＰＡまで移動させるために必要なモータ２６の駆動ステップ数が格納されている。
【００４１】
ＲＡＭ４３は、ＤＲＡＭ（Dynamic Random Access Memory）などの揮発性メモリであり、ＣＰＵ４４がプログラムを実行する際のワークエリアとして使用される。また、ＲＡＭ４３によりカウンタが構成され、ステップ数カウンタは、モータ２６が１ステップ駆動される度にステップ数をインクリメント（＋１）する。ＣＰＵ４４は、ステップ数カウンタによりカウントされるステップ数に基づいてモータ２６の駆動を制御することにより、読取デバイス１２の位置を制御することができる。
【００４２】
また、ＡＳＩＣ４１には、画像読取装置３の各部の制御に必要となる信号が入力される。たとえば、画像読取装置３には、ＡＤＦ８が開位置に位置するか閉位置に位置するかに応じて異なるレベルの検出信号を出力するカバーセンサ４７（検出部の一例）が設けられており、そのカバーセンサ４７の検出信号がＡＳＩＣ４１に入力される。また、画像読取装置３には、ＡＤＦ８の原稿セット部における原稿Ｄの有無に応じて異なるレベルの検出信号を出力する原稿センサが設けられており、その原稿センサの検出信号がＡＳＩＣ４１に入力される。
【００４３】
＜メイン処理＞
画像読取装置３の電源が投入されると、ＡＳＩＣ４１のＣＰＵ４４により、図６に示されるメイン処理が実行される。
【００４４】
メイン処理では、ＣＰＵ４４は、ＨＰ確認スキップカウンタの値をゼロにリセットする（Ｓ１）。ＨＰ確認スキップカウンタは、ＨＰ確認処理がスキップされた回数を計数するカウンタであり、ＲＡＭ４３によって構成されている。
【００４５】
次に、ＣＰＵ４４は、ＨＰ確認処理を実行する（Ｓ２）。ＨＰ確認処理は、待機位置ＷＰがホームポジションＨＰと一致するか否かを確認する処理であり、その内容については、後述する。
【００４６】
その後、ＣＰＵ４４は、操作パネル４６に待機画面を表示させる（Ｓ３）。
【００４７】
待機画面の一例は、図７に示されている。図７に示される待機画面では、スキャンキー１０１およびコピーキー１０２が横並びでそれぞれアイコン画像の形態で表示される。スキャンキー１０１は、スキャン機能によるジョブであるスキャンジョブを選択するキーである。コピーキー１０２は、コピー機能によるジョブであるコピージョブを選択するキーである。スキャンキー１０１の押下により、スキャンジョブの選択がＡＳＩＣ４１に入力される。コピーキー１０２の押下により、コピージョブの選択がＡＳＩＣ４１に入力される。
【００４８】
待機画面の表示後、ＣＰＵ４４は、スキャンキー１０１またはコピーキー１０２が押下されたかを判別する（Ｓ４）。スキャンキー１０１またはコピーキー１０２が押下されるまで、メイン処理は次に進まない。
【００４９】
スキャンジョブまたはコピージョブの一方が選択されると（Ｓ４：ＹＥＳ）、ＣＰＵ４４は、操作パネル４６にジョブ開始画面を表示させる（Ｓ５）。これにより、操作パネル４６の表示画面が待機画面からジョブ開始画面に切り替わる。
【００５０】
ジョブ開始画面の一例は、図８に示されている。このジョブ開始画面の一例では、スキャンジョブまたはコピージョブによる画像の読み取りに関する設定情報、たとえば、読取モード、読取解像度および原稿サイズの設定情報が表示される。読取モードには、例えば、カラー画像の読み取りに適したカラーモードと、白黒画像の読み取りに適したグレースケールモード及び白黒モードとの何れかが設定可能である。読取解像度には、「低（例えば、１５０ｄｐｉ）」、「標準（例えば、３００ｄｐｉ）」および「高（例えば、６００ｄｐｉ）」の３段階が設けられている。原稿サイズには、例えば、Ａ３、Ａ４、Ａ５、Ａ６、等の定型原稿サイズや、ユーザ設定のサイズ（ｍｍ）が設定される。原稿サイズが設定された場合、ＣＰＵ４４は、ＲＯＭ４２に記憶されている定型原稿サイズのテーブルを参照して、原稿Ｄの主走査方向および副走査方向の寸法を決定する。ＣＰＵ４４は、読取開始位置ＰＳから右側に原稿Ｄの副走査方向の寸法分だけ離れた位置を読取終了位置ＰＥに設定する。
【００５１】
また、ジョブ開始画面には、たとえば、ジョブ開始画面の下端部に、設定変更キー１０３およびスタートキー１０４が横並びで表示される。設定変更キー１０３の押下により、画像の読み取りに関する設定を変更する画面に切り替わる。スタートキー１０４の押下により、原稿Ｄの画像の読み取りの開始（スキャン開始）の指示がＡＳＩＣ４１に入力される。ジョブ開始画面にはさらに、ホームキー１０５が表示される。ホームキー１０５の押下により、操作パネル４６の表示画面をジョブ開始画面から待機画面に切り替える指示がＡＳＩＣ４１に入力される。
【００５２】
ジョブ開始画面を操作パネル４６に表示させた後、ＣＰＵ４４は、スタートキー１０４の押下によるジョブ開始の指示を受け付けたかを判別する（Ｓ６）。スタートキー１０４が押下されるまで、メイン処理は次に進まない。
【００５３】
スタートキー１０４の押下によるジョブ開始の指示がＡＳＩＣ４１に入力されると（Ｓ６：ＹＥＳ）、ＣＰＵ４４は、原稿センサの検出信号に基づいて、ＡＤＦ８の原稿セット部に原稿Ｄがセットされているか否かを判別する（Ｓ７）。
【００５４】
ＡＤＦ８の原稿セット部に原稿Ｄがセットされていない場合（Ｓ７：ＮＯ）、ＣＰＵ４４は、図９Ａおよび図９Ｂに示されるＦＢ原稿読取処理を実行する（Ｓ８）。
【００５５】
ＡＤＦ８の原稿セット部に原稿Ｄがセットされている場合（Ｓ７：ＹＥＳ）、ＣＰＵ４４は、図１２に示されるＡＤＦ原稿読取処理を実行する（Ｓ９）。
【００５６】
＜ＦＢ原稿読取処理＞
ＦＢ原稿読取処理では、ＣＰＵ４４は、図９Ａに示されるように、ＨＰ確認実施フラグをオンにする（Ｓ８０１）。ＨＰ確認実施フラグは、たとえば、オンまたはオフを表す１ビットの情報としてＲＡＭ４３に保存される。ＨＰ確認実施フラグのオンは、ＨＰ確認処理を実行する必要があることを表す。
【００５７】
また、ＣＰＵ４４は、操作パネル４６にジョブ実行中画面を表示させる（Ｓ８０２）。これにより、操作パネル４６の表示画面がジョブ開始画面からジョブ実行中画面に切り替わる。
【００５８】
スキャンジョブの実行中である場合、図１０（Ａ）に示されるジョブ実行中画面が操作パネル４６に表示される。コピージョブの実行中である場合には、図１０（Ｂ）に示されるジョブ実行中画面が操作パネル４６に表示される。ジョブ実行中画面には、スキャンジョブの実行中であることを表す「Ｓｃａｎｎｉｎｇ」の文字またはコピージョブの実行中であることを表す［Ｃｏｐｙｉｎｇ」の文字とともに、キャンセルキー１０６が表示される。キャンセルキー１０６の押下により、実行中のスキャンジョブまたはコピージョブの中止の指示（キャンセル指示）がＡＳＩＣ４１に入力される。
【００５９】
そして、ＣＰＵ４４は、原稿Ｄの読み取りを開始する（Ｓ８０３）。
【００６０】
読取開始に伴い、ＣＰＵ４４は、移動機構１３のモータ２６を制御して、待機位置ＷＰで停止している読取デバイス１２の往路方向の移動を開始させる。その後、ＣＰＵ４４は、読取デバイス１２を制御して、読取デバイス１２による原稿Ｄの読み取りを開始させる。読取デバイス１２が読取終了位置ＰＥに到達するのに必要なステップ数分だけモータ２６が回転すると、ＣＰＵ４４は、画像の読み取りを終了させ、読取デバイス１２により読み取られた画像データをＲＡＭ４３に記憶させる。そして、ＣＰＵ４４は、光源２３を消灯させ、読取デバイス１２の移動を停止させる。
【００６１】
読取開始後、キャンセルキー１０６の押下によるキャンセル指示がＡＳＩＣ４１に入力されずに（Ｓ８０４：ＮＯ）、１枚の原稿Ｄの読み取りが終了すると（Ｓ８０５：ＹＥＳ）、ＣＰＵ４４は、モータ２６を制御して、読取デバイス１２の復路方向の移動（キャリッジリターン）を開始する（Ｓ８０６）。
【００６２】
また、ＣＰＵ４４は、ジョブ終了時画面を操作パネル４６に表示させる（Ｓ８０７）。これにより、操作パネル４６の表示画面がジョブ実行中画面からジョブ終了時画面に切り替わる。
【００６３】
本実施形態では、第１スキャン機能をスキャンジョブ、第２スキャン機能をコピージョブとして説明する。スキャンジョブの実行中である場合、図１１（Ａ）に示される第１のジョブ終了時画面が操作パネル４６に表示される。第１のジョブ終了時画面には、スキャンジョブの実行中であることを表す「Ｓｃａｎｎｉｎｇ」の文字がジョブ実行中画面から引き続き表示される。画面の中央部には、画像データを先に読み取られた原稿Ｄの画像データと同一のファイルで取り扱うべき次の原稿Ｄ（以下、単に「次原稿Ｄ」という。）があるかどうかを確認するメッセージ、たとえば、「次原稿がありますか？」のメッセージが表示される。そのメッセージの下側には、ＹＥＳキー１０７およびＮＯキー１０８が横並びで表示される。ＹＥＳキー１０７の押下により、次原稿Ｄがある旨の情報がＡＳＩＣ４１に入力される。一方、ＮＯキー１０８の押下により、次原稿Ｄがない旨の情報がＡＳＩＣ４１に入力される。ＹＥＳキー１０７が押下された場合、ＣＰＵ４４は、操作パネル４６の表示画面を第１のジョブ終了時画面から第２のジョブ終了時画面に切り替える。第２のジョブ終了時画面は、たとえば、設定変更キー１０３、スタートキー１０４およびホームキー１０５を含むジョブ開始画面と同様の内容に加えて、スキャンジョブの実行中であることを表す「Ｓｃａｎｎｉｎｇ」の文字が表示される。次原稿Ｄがある旨の情報が選択されると、スキャンジョブ実行中の画像と次に読み取られる原稿の画像とを１ファイルとして扱う。
【００６４】
コピージョブの実行中である場合には、図１１（Ｂ）に示されるジョブ終了時画面が操作パネル４６に表示される。ジョブ終了時画面は、たとえば、設定変更キー１０３、スタートキー１０４およびホームキー１０５を含むジョブ開始画面と同様の内容に加えて、コピージョブの実行中であることを表す「Ｃｏｐｙｉｎｇ」の文字が表示される。
【００６５】
ジョブ終了時画面の表示後、ＣＰＵ４４は、図９Ｂに示されるように、ＡＤＦ８が開位置に開かれたか否かを判別する（Ｓ８０８）。
【００６６】
また、ＣＰＵ４４は、読取デバイス１２が読取終了位置ＰＥから待機位置ＷＰまで到達したか否かを判別する（Ｓ８０９）。言い換えれば、ＣＰＵ４４は、読取デバイス１２が読取終了位置ＰＥから待機位置ＷＰまで到達するのに必要なステップ数分だけモータ２６が回転したかを確認する。読取デバイス１２が待機位置ＷＰまで到達するまで、ＣＰＵ４４は、ＡＤＦ８が開位置に開かれたかの判別を繰り返す。
【００６７】
読取デバイス１２が待機位置ＷＰに到着するまでにＡＤＦ８が開位置に開かれた場合には（Ｓ８０８：ＹＥＳ）、ＣＰＵ４４は、ＨＰ確認実施フラグをオフにする（Ｓ８１０）。
【００６８】
読取デバイス１２が待機位置ＷＰまで移動すると（Ｓ８０９：ＹＥＳ）、ＣＰＵ４４は、ＨＰ確認スキップカウンタの値をインクリメントする（Ｓ８１１）。
【００６９】
その後、ＣＰＵ４４は、操作パネル４６からＡＳＩＣ４１に次原稿Ｄがある旨の情報が入力されたか否か、つまりスキャンジョブ実行中に操作パネル４６に表示される第１のジョブ終了時画面のＹＥＳキー１０７が押下されたか否かを判別する（Ｓ８１２）。
【００７０】
第１のジョブ終了時画面のＹＥＳキー１０７が押下された場合（Ｓ８１２：ＹＥＳ）、操作パネル４６には、図１１（Ａ）に示される第２のジョブ終了時画面が表示されている。ＣＰＵ４４は、その第２のジョブ終了時画面に表示されているスタートキー１０４の押下による読取開始の指示がＡＳＩＣ４１に入力されたか否かを判別する（Ｓ８１３）。
【００７１】
そして、操作パネル４６からＡＳＩＣ４１に読取開始の指示が入力されると（Ｓ８１３：ＹＥＳ）、図９Ａに示されるステップＳ８０２の処理に戻り、ＣＰＵ４４は、操作パネル４６にジョブ実行中画面を表示させる（Ｓ８０２）。その後、ＣＰＵ４４は、ステップＳ８０３以降の処理を実行する。この場合、複数枚の原稿Ｄが連続して読み取られる。ＣＰＵ４４は、その複数枚の原稿Ｄの画像データを１ファイルに集約して１ファイルとして扱い、そのファイルをＲＡＭ４３に保存する。
【００７２】
ＡＳＩＣ４１に次原稿Ｄがある旨の情報が入力されない場合は（Ｓ８１２：ＮＯ）、スキャンジョブ実行中に操作パネル４６に表示される第１のジョブ終了時画面でＮＯキー１０８が押下された場合か、または、コピージョブの実行中に図１１（Ｂ）に示されるジョブ終了時画面が操作パネル４６に表示されている場合である。この場合、ＣＰＵ４４は、１枚の原稿Ｄの画像データを１ファイルとして扱い、そのファイルをＲＡＭ４３に保存する。
【００７３】
なお、スキャンジョブでは、ＲＡＭ４３に保存されたファイルは、１ファイルごとにＰＣなどの外部装置に送信されてもよいし、複数のファイルがまとめて外部装置に送信されてもよい。コピージョブでは、ＲＡＭ４３に保存されたファイルは、１ファイルごとに画像読取装置３から画像形成装置２に送信される。画像形成装置２では、画像読取装置３から受信するファイルに含まれる画像データに係る画像がシートに形成される。
【００７４】
ＡＳＩＣ４１に次原稿Ｄがある旨の情報が入力されない場合（Ｓ８１２：ＮＯ）、ＣＰＵ４４は、ＨＰ確認実施フラグがオンであるか否かを判別する（Ｓ８１４）。
【００７５】
また、原稿Ｄの読取開始後、キャンセルキー１０６の押下によるキャンセル指示がＡＳＩＣ４１に入力された場合にも（Ｓ８０４：ＹＥＳ）、ＣＰＵ４４は、ＨＰ確認スキップカウンタの値をゼロにリセットし（Ｓ８１５）、ＨＰ確認処理を実行して（Ｓ８１６）、ＦＢ原稿読取処理を終了する。
【００７６】
一方、ＨＰ確認実施フラグがオフである場合（Ｓ８１４：ＮＯ）、つまり読取デバイス１２が読取終了位置ＰＥから待機位置ＷＰに戻るまでの間にＡＤＦ８が閉位置から開位置に開かれなかった場合、ＣＰＵ４４は、ＨＰ確認スキップカウンタの値が所定値を超えているか否かを判別する（Ｓ８１７）。
【００７７】
ＨＰ確認スキップカウンタの値が所定値以下である場合（Ｓ８１７：ＮＯ）、ＣＰＵ４４は、読取デバイス１２を読取開始位置ＰＳまで移動させて（Ｓ８１８）、ＦＢ原稿読取処理を終了する。
【００７８】
ＨＰ確認スキップカウンタの値が所定値を超えている場合（Ｓ８１７：ＹＥＳ）、ＣＰＵ４４は、ＨＰ確認スキップカウンタの値をゼロにリセットし（Ｓ８１５）、ＨＰ確認処理を実行して（Ｓ８１６）、ＦＢ原稿読取処理を終了する。
【００７９】
ＦＢ原稿読取処理の終了後は、図６に示されるメイン処理に戻って、ＣＰＵ４４は、操作パネル４６に待機画面を表示させる（Ｓ３）。待機画面の表示後、ＣＰＵ４４は、ステップＳ４以降の処理を再び実行する。
【００８０】
＜ＡＤＦ原稿読取処理＞
図１２に示されるＡＤＦ原稿読取処理では、ＣＰＵ４４は、移動機構１３のモータ２６を制御して、待機位置ＷＰで停止している読取デバイス１２をＡＤＦ読取位置ＰＡまで移動させる（Ｓ９０１）。
【００８１】
また、ＣＰＵ４４は、操作パネル４６にジョブ実行中画面を表示させる（Ｓ９０２）。これにより、操作パネル４６の表示画面がジョブ開始画面からジョブ実行中画面に切り替わる。ジョブ実行中画面については、前述したとおりであり、スキャンジョブの実行中である場合、図１０（Ａ）に示されるジョブ実行中画面が操作パネル４６に表示される。コピージョブの実行中である場合には、図１０（Ｂ）に示されるジョブ実行中画面が操作パネル４６に表示される。
【００８２】
その後、ＣＰＵ４４は、ＡＤＦ搬送部４５を制御して、ＡＤＦ搬送部４５による原稿Ｄの搬送を開始する（Ｓ９０３）。
【００８３】
また、ＣＰＵ４４は、読取デバイス１２を制御して、読取デバイス１２による原稿Ｄの読み取りを開始させる（Ｓ９０４）。
【００８４】
原稿Ｄの読み取りが行われている間、ＣＰＵ４４は、ジョブ実行中画面に表示されているキャンセルキー１０６の押下によるキャンセル指示がＡＳＩＣ４１に入力されたか否かを繰り返し判別する（Ｓ９０５）。
【００８５】
キャンセルキー１０６の押下によるキャンセル指示がＡＳＩＣ４１に入力されずに（Ｓ９０５：ＮＯ）、１枚の原稿Ｄの読み取りが終了すると（Ｓ９０６：ＹＥＳ）、ＣＰＵ４４は、その読み取った原稿ＤがＡＤＦ８の原稿セット部にセットされていた最終の原稿Ｄであるか否かを判別する（Ｓ９０７）。ＣＰＵ４４は、ＡＤＦ８に設けられた原稿センサの検出信号から、ＡＤＦ８の原稿セット部に原稿Ｄが存在しない場合、読み取った原稿Ｄが最終の原稿Ｄであると判断し、ＡＤＦ８の原稿セット部に原稿Ｄが残っている場合、読み取った原稿Ｄは最終の原稿Ｄではないと判断する。
【００８６】
読み取った原稿Ｄが最終の原稿Ｄではない場合（Ｓ９０７：ＮＯ）、ＣＰＵ４４は、ＡＤＦ搬送部４５を制御して、ＡＤＦ搬送部４５による次の原稿Ｄの搬送を開始する（Ｓ９０３）。
【００８７】
読み取った原稿Ｄが最終の原稿Ｄであり、ＡＤＦ８の原稿セット部に原稿Ｄが存在しない場合、ＣＰＵ４４は、移動機構１３のモータ２６を制御して、読取デバイス１２をＡＤＦ読取位置ＰＡから待機位置ＷＰまで移動させて（Ｓ９０８）、ＡＤＦ原稿読取処理を終了する。
【００８８】
ＡＤＦ原稿読取処理の終了後は、図６に示されるメイン処理に戻って、ＣＰＵ４４は、ＨＰ確認スキップカウンタの値をゼロにリセットした後（Ｓ１）、ＨＰ確認処理を実行する（Ｓ２）。したがって、ＡＤＦ原稿読取処理の終了後には、ＨＰ確認処理が必ず実行される。
【００８９】
＜ＨＰ確認処理＞
図６のステップＳ２および図９ＢのステップＳ８１６で実行されるＨＰ確認処理では、ＣＰＵ４４は、移動機構１３に含まれるモータ２６を制御することで、読取デバイス１２を待機位置ＷＰから読取開始位置ＰＳ側に移動させながら、画像の読み取りを開始させる（Ｓ２０１）。
【００９０】
読取デバイス１２により調整基準板３１の白領域３２および黒領域３３の境界が読み取られて、ＣＰＵ４４は、その画像データにおける白データから黒データへの変化を確認、すなわち、イメージセンサ２５からの出力レベルが白領域３２に対応する値から黒領域３３に対応する値に減少したことを確認すると（Ｓ２０２：ＹＥＳ）、読取デバイス１２による画像の読み取りを終了させる（Ｓ２０３）。
【００９１】
また、ＣＰＵ４４は、白画素から黒画素への変化を確認した時点で、移動機構１３に含まれるモータ２６を制御することで、読取デバイス１２を停止させる（Ｓ２０４）。
【００９２】
そして、ＣＰＵ４４は、読取デバイス１２を白領域３２および黒領域３３の境界の位置とホームポジションＨＰとの間の一定距離分だけ左側に移動させることにより、読取デバイス１２を正規の待機位置ＷＰに移動させて（Ｓ２０５）、ＨＰ確認処理を終了する。この一定距離に相当するモータ２６のステップ数は、画像読取装置３の工場出荷前にＲＯＭ４２に記録される。
【００９３】
なお、元の待機位置ＷＰからＣＰＵ４４が白画素から黒画素への変化を確認した時点での読取デバイス１２の位置まで距離が白領域３２および黒領域３３の境界の位置とホームポジションＨＰとの間の一定距離と等しい場合、待機位置ＷＰがホームポジションＨＰと一致することを確認したことになるから、ＨＰ確認処理には、待機位置ＷＰの確認動作が含まれると言える。一方、元の待機位置ＷＰからＣＰＵ４４が白画素から黒画素への変化を確認した時点での読取デバイス１２の位置まで距離が一定距離と等しくない場合には、ＨＰ確認処理は、待機位置ＷＰがホームポジションＨＰと一致しないことを確認したことになるため、待機位置ＷＰをホームポジションＨＰに一致するように待機位置ＷＰの再設定を行う。
【００９４】
＜作用効果＞
以上のように、ＡＤＦ８がコンタクトガラス９に対して開閉可能に設けられている。ユーザは、ＡＤＦ８を開いて、読取対象の原稿Ｄをコンタクトガラス９に支持させることができ、その原稿Ｄをコンタクトガラス９上から取り去ることができる。
【００９５】
原稿Ｄがコンタクトガラス９に支持された状態で、読取デバイス１２が読取開始位置ＰＳから読取終了位置ＰＥまで移動されながら、読取デバイス１２により原稿Ｄが読み取られる。原稿Ｄの読み取り後、読取デバイス１２が読取終了位置ＰＥから読取開始位置ＰＳ側に移動される。
【００９６】
第１スキャン機能を使用するスキャンジョブでは、１ファイルとして扱われる複数枚の原稿Ｄの画像データが得られるまで、読取デバイス１２による待機位置ＷＰがホームポジションＨＰと一致することを確認するためのＨＰ確認処理が行われずに、読取デバイス１２による原稿Ｄの読み取りが繰り返される。これにより、読取処理速度を向上させることができる。
【００９７】
原稿Ｄの読み取り後、読取デバイス１２が読取終了位置ＰＥから待機位置ＷＰまで移動する間にＡＤＦ８が開かれた場合、ユーザが次の読取対象の原稿Ｄをコンタクトガラス９に支持させることが予想される。そこで、第２スキャン機能を使用するスキャンジョブまたはコピージョブであっても、読取デバイス１２が読取終了位置ＰＥから待機位置ＷＰまで移動する間にＡＤＦ８が開かれた場合、ＨＰ確認処理が行われない。これにより、次の原稿Ｄの読み取りを速やかに開始させることができる。
【００９８】
一方、第２スキャン機能を使用するスキャンジョブにおいて、ＡＤＦ８が開かれずに読取デバイス１２が待機位置ＷＰまで移動した場合には、ＨＰ確認処理が行われて、待機位置ＷＰがホームポジションＨＰと一致することが確認される。
【００９９】
よって、第１スキャン機能および第２スキャン機能の異なる機能ごとに複数枚の原稿Ｄを連続して読み取るかの判断が行われることで、待機位置ＷＰがホームポジションＨＰと一致することの確認、つまりＨＰ確認処理を適切に行うことができる。
【０１００】
第１スキャン機能および第２スキャン機能の異なる機能ごとに複数枚の原稿Ｄを連続して読み取るかの判断が行われて、待機位置ＷＰがホームポジションＨＰと一致することの確認が適切に行われるので、待機位置ＷＰがホームポジションＨＰと一致することの確認のために、原稿Ｄのプレスキャンにより作成されるプレビュー画像が必要とならない。すなわち、原稿Ｄのプレスキャンを行わなくても、待機位置ＷＰがホームポジションＨＰと一致することの確認を行うことができる。この構成もまた、読取処理速度の向上につながる。
【０１０１】
また、単一のＦＢ原稿読取処理のフローにより、第１スキャン機能および第２スキャン機能の異なる機能ごとに複数枚の原稿Ｄを連続して読み取るかの判断が行われることで、ＨＰ確認処理を適切に行うことができる。
【０１０２】
第１スキャン機能を使用するスキャンジョブおよび第２スキャン機能を使用するコピージョブにかかわらず、１枚の原稿Ｄの読み取りが終了し、読取デバイス１２が待機位置ＷＰに戻ると、ＨＰ確認スキップカウンタの値がインクリメントされる。ＨＰ確認スキップカウンタの値は、ＨＰ確認処理が行われるとゼロにリセットされる。ＨＰ確認処理が行われないまま、ＨＰ確認スキップカウンタの値が所定値を超えると、読取デバイス１２が待機位置ＷＰに戻る前にＡＤＦ８が開位置に開かれた場合であっても、ＨＰ確認処理が行われて、待機位置ＷＰがホームポジションＨＰと一致することが確認される。これにより、待機位置ＷＰがホームポジションＨＰからずれた状態で原稿Ｄの読み取りが行われることを抑制できる。
【０１０３】
また、ＡＤＦ原稿読取処理の終了後には、ＨＰ確認処理が実行される。そのため、ＡＤＦ原稿読取処理が実行されて、多数枚の原稿Ｄが連続して読み取られても、次のＡＤＦ原稿読取処理の実行時には、待機位置ＷＰがホームポジションＨＰからずれた状態で原稿Ｄの読み取りが行われることを抑制できる。
【０１０４】
さらに、原稿Ｄの読取開始後、キャンセルキー１０６の押下によるキャンセル指示がＡＳＩＣ４１に入力された場合にも、ＨＰ確認処理が実行される。原稿Ｄの読み取りが中止された場合には、次の原稿Ｄの読取開始までに時間があるので、ＨＰ確認処理が実行されることにより、待機位置ＷＰがホームポジションＨＰからずれた状態で原稿Ｄの読み取りが行われることを抑制できる。
【０１０５】
＜変形例＞
以上、本発明の一実施形態について説明したが、本発明は、他の形態で実施することもできる。
【０１０６】
たとえば、前述の実施形態では、第１スキャン機能の一例としてスキャンジョブ、第２スキャン機能の一例としてコピージョブを用いて説明したがこれに限らず、第１スキャン機能としてコピージョブ、第２スキャン機能としてスキャンジョブを用いてもよい。この場合、図１１（Ａ）のような「次原稿がありますか？」といったメッセージ画面を表示する工程を含む機能を第１スキャン機能、含まない機能を第２スキャン機能としてもよい。
【０１０７】
第１スキャン機能を使用するスキャンジョブでは、１ファイルとして扱われる複数枚の原稿Ｄの画像データが得られた後、最後にＨＰ確認処理が実行されてからの原稿Ｄの読取回数にかかわらず、ＨＰ確認処理が実行されてもよい。
【０１０８】
また、第１スキャン機能を使用するスキャンジョブにおいて、１ファイルとして扱われる複数枚の原稿Ｄの画像データが得られるまでＨＰ確認処理がスキップされる構成を取り上げた。しかしながら、その構成に限らず、たとえば、ユーザが１ファイルとして扱われる複数枚の原稿Ｄの画像データが得られるまでＨＰ確認処理をスキップするか否かを設定することができ、スキップする設定である場合に、１ファイルとして扱われる複数枚の原稿Ｄの画像データが得られるまでＨＰ確認処理がスキップされてもよい。
【０１０９】
また、前述の実施形態では、ＣＰＵ４４が各処理を実行する場合について説明した。しかしながら、ＡＳＩＣ４１が複数のＣＰＵを備え、複数のＣＰＵが協働して各処理を実行してもよい。
【０１１０】
その他、前述の構成には、特許請求の範囲に記載された事項の範囲で種々の設計変更を施すことが可能である。
【符号の説明】
【０１１１】
３：画像読取装置
８：ＡＤＦ
９：コンタクトガラス
１２：読取デバイス
４４：ＣＰＵ
４５：ＡＤＦ搬送部
４６：操作パネル
Ｄ：原稿
ＨＰ：ホームポジション
ＷＰ：待機位置
【図１】
2019080092.tif 000003
【図２】
2019080092.tif 000004
【図３】
2019080092.tif 000005
【図４】
2019080092.tif 000006
【図５】
2019080092.tif 000007
【図６】
2019080092.tif 000008
【図７】
2019080092.tif 000009
【図８】
2019080092.tif 000010
【図９Ａ】
2019080092.tif 000011
【図９Ｂ】
2019080092.tif 000012
【図１０】
2019080092.tif 000013
【図１１】
2019080092.tif 000014
【図１２】
2019080092.tif 000015
【図１３】
2019080092.tif 000016